(57)【要約】      （修正有）【課題】レンズの側面を視認できる構造のＬＥＤ照明装置においても、照明光に対する補色光が設置箇所の周辺に照射されないようにできるＬＥＤ照明装置を提供する。【解決手段】ＬＥＤ３を光源に用いたＬＥＤ照明装置１において、ＬＥＤ３の光射出面に対して設けられたレンズ６と、第１の波長帯の光を透過する一方で該第１の波長帯とは異なる第２の波長帯の光を反射するフィルター５と、を備え、フィルター５をＬＥＤ３とレンズ６との間に配置した。【選択図】図３
0003200080.tif 000002
【実用新案登録請求の範囲】
【請求項１】
ＬＥＤを光源に用いたＬＥＤ照明装置において、
該ＬＥＤの光射出面に対して設けられたレンズと、
第１の波長帯の光を透過する一方で該第１の波長帯とは異なる第２の波長帯の光を反射するフィルターと、を備え、
該フィルターは、該ＬＥＤと該レンズとの間に配置されたことを特徴とするＬＥＤ照明装置。
【請求項２】
請求項１に記載のＬＥＤ照明装置において、
該レンズを該ＬＥＤ照明装置の筐体に支持するための支持部材を備え、
該支持部材は、該筐体のＬＥＤ取付面及び該ＬＥＤを覆うように設けられ、
該フィルターは、該支持部材で覆われた空間内に配置されることを特徴とするＬＥＤ照明装置。
【請求項３】
請求項１又は請求項２に記載のＬＥＤ照明装置において、
該フィルターを保持するホルダーを備え、
該ホルダーは、該ＬＥＤの配置位置に合わせた開口部を有し、
該フィルターは、該開口部を覆うように該ホルダーに取り付けられることを特徴とするＬＥＤ照明装置。
【考案の詳細な説明】
【技術分野】
【０００１】
本考案は、ＬＥＤ（Light Emitting Diode）を光源に用いたＬＥＤ照明装置に関する。
【背景技術】
【０００２】
従来、ＬＥＤを光源に用いたＬＥＤ照明装置が実用されている。
例えば、特許文献１には、ＬＥＤ素子を収納する凹部を有するレンズを備えたＬＥＤ照明装置において、レンズの投光面側に、ＬＥＤ素子から発せられてレンズの投光面を通った光のうち、ある波長域の光を選択的に透過させ、その他の波長域の光を反射させるフィルタを設ける構成が開示されている。
【０００３】
上記のようなＬＥＤ照明装置によれば、フィルタの透過特性に応じた色の照明光を得ることができる。そこで、例えば、上記のようなＬＥＤ照明装置を生鮮食品などの売り場の照明として設置し、食材が美味しそうに見える色や新鮮に見える色の照明光を販売品に当てることで、顧客の購買意欲を高める工夫がなされている。
【先行技術文献】
【特許文献】
【０００４】
【特許文献１】特開２０１１−１６５３５１号公報
【考案の概要】
【考案が解決しようとする課題】
【０００５】
上記のＬＥＤ照明装置は、レンズの投光面側（前面側）にフィルタを設けているため、フィルタを透過せずに反射した光がレンズに戻り、レンズの側面から出射される。そして、フィルタの特性上、フィルタを透過せずに反射した光は、照明光の色に対する補色の光（補色光）となる。このため、ＬＥＤ照明装置の設置箇所の周辺（例えば天井面や壁面）に、照明光とは別の色の補色光が照射されてしまい、近辺にいる人に不自然な印象を与えかねないという懸念があった。なお、照明光に対する補色光が設置箇所の周辺に照射されないように、レンズの側面をカバー等で覆うことも考えられるが、レンズの側面を視認できる構造の方が美観的に好ましいという評価もあった。
【０００６】
本考案は上記のような事情に鑑みて為されたものであり、レンズの側面を視認できる構造のＬＥＤ照明装置においても、照明光に対する補色光が設置箇所の周辺に照射されないようにすることを目的とする。
【課題を解決するための手段】
【０００７】
本考案は、ＬＥＤを光源に用いたＬＥＤ照明装置において、該ＬＥＤの光射出面に対して設けられたレンズと、第１の波長帯の光を透過する一方で該第１の波長帯とは異なる第２の波長帯の光を反射するフィルターと、を備え、該フィルターは、該ＬＥＤと該レンズとの間に配置されたことを特徴としている。
【０００８】
また、本考案に係るＬＥＤ照明装置は、上記構成において、該レンズを該ＬＥＤ照明装置の筐体に支持するための支持部材を備え、該支持部材は、該筐体のＬＥＤ取付面及び該ＬＥＤを覆うように設けられ、該フィルターは、該支持部材で覆われた空間内に配置されることを特徴としている。
【０００９】
また、本考案に係るＬＥＤ照明装置は、上記構成において、該フィルターを保持するホルダーを備え、該ホルダーは、該ＬＥＤの配置位置に合わせた開口部を有し、該フィルターは、該開口部を覆うように該ホルダーに取り付けられることを特徴としている。
【考案の効果】
【００１０】
本考案に係るＬＥＤ照明装置によれば、フィルターをＬＥＤとレンズとの間に配置したため、レンズにはフィルターを透過した所定色の照明光だけが入射するので、照明光に対する補色光がレンズの側面から出射されることがない。このため、レンズの側面を視認できる構造のＬＥＤ照明装置においても、照明光に対する補色光が設置箇所の周辺に照射されないようにすることができる。
【図面の簡単な説明】
【００１１】
【図１】本考案の一実施形態に係るＬＥＤ照明装置の斜視図である。
【図２】図１に示したＬＥＤ照明装置の正面図である。
【図３】図２に示したＬＥＤ照明装置のＡ−Ａ線断面図である。
【図４】図１に示したＬＥＤ照明装置におけるホルダーの正面図である。
【図５】図４に示したホルダーの背面図である。
【図６】図４に示したホルダーのＢ−Ｂ線断面図である。
【図７】図４に示したホルダーの平面図である。
【図８】図４に示したホルダーの斜視図である。
【考案を実施するための形態】
【００１２】
本考案の一実施形態について、図面を参照して説明する。
図１には、本考案の一実施形態に係るＬＥＤ照明装置１の斜視図を示してある。図２には、図１に示したＬＥＤ照明装置１の正面図を示してある。図３には、図２に示したＬＥＤ照明装置１のＡ−Ａ線断面図を示してある。
【００１３】
ＬＥＤ照明装置１は、ＬＥＤ３が搭載されたＬＥＤ基板を装置筐体２の前面部分に実装し、ＬＥＤ３を覆うような凹み部を有するレンズ６をＬＥＤ３の光出射面に配置して、レンズ支持部材７でレンズ６を装置筐体２に固定した構造となっている。レンズ支持部材７は、レンズ６を装置筐体２に支持するための部材であり、装置筐体２のＬＥＤ取付面及びＬＥＤ３を覆うような形状を有する。
【００１４】
本例のレンズ支持部材７は、支持部材本体部７ａと、カバー部７ｂとで構成される。
支持部材本体部７ａは、レンズ６のＬＥＤ側（背面側）の周縁部を囲んで保護する第１保護部と、レンズ６の前面側の周縁部を囲んで保護する第２保護部とを、レンズ６の側面の２箇所で繋いだ構造となっており、レンズ６の側面の大部分が開放されている。支持部材本体部７ａは、第１保護部を装置筐体２にネジ留めして固定される。
カバー部７ｂは、レンズ６のＬＥＤ側端部の周囲を覆うように形成された平面状の部材である。カバー部７ｂは、支持部材本体部７ａの第１保護部に嵌め込んで固定される。
このような構造のレンズ支持部材７によれば、レンズ６の側面の大部分が開放しているため、ＬＥＤ照明装置１の前方に照明光を照射できるだけでなく、レンズ６の側面の解放部分から設置箇所の周辺にも照明光を照射させることができる。
【００１５】
また、レンズ支持部材７は、装置筐体２のＬＥＤ取付面（前面）及びＬＥＤ３を覆うように設けられており、レンズ支持部材７で覆われた空間内に、フィルター５を嵌め込んだホルダー４が配置される。このフィルター５は、第１の波長帯の光を透過する一方で該第１の波長帯とは異なる第２の波長帯の光を反射する特性を有している。なお、第１の波長帯は、連続した１つの波長帯で構成されてもよく、離散した複数の波長帯で構成されてもよい。第２の波長帯も同様である。
【００１６】
このように、本例のＬＥＤ照明装置１では、フィルター５を取り付けたホルダー４をＬＥＤ３とレンズ６との間に配置して、レンズ６にはフィルター５を透過した所定色の照明光だけが入射するようにしたため、照明光に対する補色光がレンズ６の側面から出射されることがない。このため、レンズ６の側面を視認できる構造でありながら、照明光に対する補色光がＬＥＤ照明装置１の設置箇所の周辺に照射されない。
【００１７】
図４には、図１に示したＬＥＤ照明装置１におけるホルダー４の正面図を示してある。図５には、図４に示したホルダー４の背面図を示してある。図６には、図４に示したホルダー４のＢ−Ｂ線断面図を示してある。図７には、図４に示したホルダー４の平面図を示してある。図８には、図４に示したホルダー４の斜視図を示してある。
以下では、ホルダー４の面について、レンズ６側の面を表面とし、装置筐体２側の面を裏面として説明する。
【００１８】
ホルダー４は、ＬＥＤ３を装置筐体２の所定位置に固定しつつフィルター５を保持する部品で、フィルター５よりやや大径の円盤状であり、円形の開口部４１を中央部に有する共に、ホルダー４を装置筐体２に固定するための２つのネジ孔４３を有する。なお、開口部４１は、ＬＥＤ３に合わせた形状及び大きさとなっている。また、ホルダー４の裏面には、開口部４１の周囲に、ＬＥＤ３を搭載したＬＥＤ基板の外形（本例では矩形）に対応する凹み部４６を設けてある。
したがって、ホルダー４の裏面の凹み部４６に、ＬＥＤ３が開口部４１から露呈する向きにしてＬＥＤ基板を嵌めた状態で、ホルダー４を装置筐体２に装着することで、ＬＥＤ３を装置筐体２の所定位置に正確に配置することができる。
【００１９】
また、ホルダー４は、開口部４１に繋がる２つのスリット部（線状の開口部）４２を有する。各スリット部４２は、ＬＥＤ３に電力を供給するための配線に沿った形状及び大きさとなっている。
したがって、ホルダー４を装置筐体２に装着してＬＥＤ３を固定した後に、ＬＥＤ３に配線を接続する作業を行うことができる。
【００２０】
また、ホルダー４の表面の周縁部４４は、フィルター５の厚みよりやや高い凸形状となっており、周縁部４４における対角線上の２箇所に、フィルター５を嵌め込んだときにフィルター５に係合する係合部４５を設けてある。
したがって、ホルダー４に嵌め込まれたフィルター５は係合部４５と係合するので、フィルター５がホルダー４から抜け落ちることを防止できる。また、フィルター５の周面がホルダー４の周縁部４４で覆われるため、フィルター５を透過せずに反射した補色光がフィルター５の周面に到達したとしても、周縁部４４によって吸収できる。
【００２１】
また、本例では、ホルダー４の開口部４１及びスリット部４２の縁を、ホルダー４の表面側に傾斜を設けたテーパ形状としているが、ホルダー４の裏面側に傾斜を設けたテーパ形状としてもよい。
また、本例のＬＥＤ照明装置１では、フィルター５を取り付けたホルダー４をレンズ支持部材７で覆われた空間内に配置したため、フィルター５を透過せずに反射した補色光がホルダー４から漏れたとしてもレンズ支持部材７の外部には到達しにくい構造となっている。
【００２２】
次に、本例のＬＥＤ照明装置１を組み立てる手順について説明する。
まず、ホルダー４の裏面の凹み部４６に、ＬＥＤ基板をＬＥＤ３が開口部４１から露呈する向きにして嵌めて、ホルダー４を装置筐体２に装着し、各ネジ孔４３にネジを通して装置筐体２にネジ留めする。なお、ＬＥＤ基板に対する配線の接続は、ネジ留めの前でも後でも構わない。
次いで、装置筐体２に取り付けたホルダー４の表面に、フィルター５を嵌め込んで係合部４５と係合させる。
次いで、装置筐体２にレンズカバー７を取り付けてネジ留めし、このレンズカバー７の内部にレンズ６を配置して、レンズ６が外れないように所定の固定手段で固定する。本例では、固定手段としてリング状のバネ８を用い、レンズ６をレンズカバー内に配置した後に、レンズカバー７にバネ８を取り付けて（具体的には、支持部材本体部７ａの第２保護部の内周面に設けた溝にバネ８を嵌めて）、バネ８でレンズ６の前面側の周縁部を装置筐体２側に付勢することでレンズ６を固定しているが、他の固定手段を用いても構わない。
【００２３】
以上のような手順により、ＬＥＤ３とレンズ６との間にフィルター５を配置したＬＥＤ照明装置１を組み立てることができる。
なお、上記の手順は一例に過ぎず、装置構造に応じた種々の手順で、本考案に係るＬＥＤ照明装置を組み立てることができる。
【００２４】
ここで、本考案に係るＬＥＤ照明装置の構成としては、以上に示したものに限られず、種々な構成が用いられてもよい。
例えば、上記の例は、ＬＥＤ照明装置１のＬＥＤ取付面（前面）が平面形状の場合を想定したものであるため、ホルダー４の裏面に凹み部４６を設けてＬＥＤ３の固定位置を規定しているが、ＬＥＤ基板を嵌め込む凹み部をＬＥＤ取付面に設けた構造とすることもできる。また、この場合には、ホルダー４の裏面に凹み部４６を設ける必要が無いので、ホルダー４の裏面にフィルター５を嵌め込む構造とすることもできる。
【００２５】
また、例えば、カバー部７ｂの表面を鏡面加工することで、カバー部７ｂを、レンズ６の側面から出射する照明光を反射する反射板として用いることもできる。
また、上記の例は、レンズの側面を開放して視認できる構造にしたＬＥＤ照明装置であるが、本考案は、レンズの側面を覆って視認できない構造にしたＬＥＤ照明装置にも適用することができる。
【産業上の利用可能性】
【００２６】
本考案は、ＬＥＤを光源に用いる種々の構造のＬＥＤ照明装置について利用することができる。
【符号の説明】
【００２７】
１：ＬＥＤ照明装置
２：装置筐体
３：ＬＥＤ
４：ホルダー
５：フィルター
６：レンズ
７：レンズ支持部材
７ａ：支持部材本体部
７ｂ：カバー部
８：バネ
４１：開口部
４２：スリット部
４３：ネジ孔
４４：周縁部
４５：係合部
４６：凹み部
【図１】
0003200080.tif 000003
【図２】
0003200080.tif 000004
【図３】
0003200080.tif 000005
【図４】
0003200080.tif 000006
【図５】
0003200080.tif 000007
【図６】
0003200080.tif 000008
【図７】
0003200080.tif 000009
【図８】
0003200080.tif 000010